(57)【特許請求の範囲】
【請求項１】
天板の正面側に形成された天板折曲板部と、底板の正面側に形成された底板折曲板部と、第１側板の正面側に形成された第１側板折曲板部と、第２側板の正面側に形成された第２側板折曲板部と、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に取り付けられたリフォーム用扉と、このリフォーム用枠の上辺部に形成された上辺突出片と、前記リフォーム用枠の下辺部に形成された下辺突出片と、前記リフォーム用枠の第１側辺部に形成された第１側辺突出片と、前記リフォーム用枠の第２側辺部に形成された第２側辺突出片と、前記底板と底板折曲板部の間に取り付けられるスロープと、前記天板と天板折曲板部の間に配設される天板取付ブロックと、前記第１側板と第１側板折曲板部の間に配設される第１側板取付ブロックと、前記第２側板と第２側板折曲板部の間に配設される第２側板取付ブロックと、前記下辺突出片とスロープを固定し前記上辺突出片と天板取付ブロックを固定し第１側辺突出片と第１側板取付ブロックを固定し前記第２側辺突出片と第２側板取付ブロックを固定する固定手段と、を有してなることを特徴とする配達物受箱リフォーム用枠扉ユニット。
【請求項２】
天板の正面側に形成された天板折曲板部と、底板の正面側に形成された底板折曲板部と、第１側板の正面側に形成された第１側板折曲板部と、第２側板の正面側に形成された第２側板折曲板部と、ステーと、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に取り付けられたリフォーム用扉と、このリフォーム用枠の上辺部に形成された上辺突出片と、前記リフォーム用枠の下辺部に形成された下辺突出片と、前記リフォーム用枠の第１側辺部に形成された第１側辺突出片と、前記リフォーム用枠の第２側辺部に形成された第２側辺突出片と、前記底板と底板折曲板部の間に取り付けられるスロープと、前記天板と天板折曲板部の間に配設される天板取付ブロックと、前記第１側板と第１側板折曲板部の間に配設される第１側板取付ブロックと、前記第２側板と第２側板折曲板部の間に配設される第２側板取付ブロックと、前記下辺突出片とスロープを固定し前記上辺突出片と天板取付ブロックを固定し第１側辺突出片と第１側板取付ブロックを固定し前記第２側辺突出片と第２側板取付ブロックを固定する固定手段と、前記ステーに設けられるステー取付スペーサーと、を有してなることを特徴とする配達物受箱リフォーム用枠扉ユニット。
【請求項３】
天板の正面側に形成された天板折曲板部と、底板の正面側に形成された底板折曲板部と、第１側板の正面側に形成された第１側板折曲板部と、第２側板の正面側に形成された第２側板折曲板部と、ステーと、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に取り付けられたリフォーム用扉と、このリフォーム用枠の上辺部に形成された上辺突出片と、この上辺突出片に形成された上辺突出片リベット嵌入孔と、前記リフォーム用枠の下辺部に形成された下辺突出片と、この下辺突出片に形成された下辺突出片リベット嵌入孔と、前記リフォーム用枠の第１側辺部に形成された第１側辺突出片と、この第１側辺突出片に形成された第１側辺突出片リベット嵌入孔と、前記リフォーム用枠の第２側辺部に形成された第２側辺突出片と、この第２側辺突出片に形成された第２側辺突出片リベット嵌入孔と、前記底板と底板折曲板部の間に取り付けられるスロープと、このスロープに形成されたスロープリベット嵌入孔と、前記天板と天板折曲板部の間に配設される天板取付ブロックと、前記第１側板と第１側板折曲板部の間に配設される第１側板取付ブロックと、前記第２側板と第２側板折曲板部の間に配設される第２側板取付ブロックと、前記下辺突出片とスロープを固定し前記上辺突出片と天板取付ブロックを固定し第１側辺突出片と第１側板取付ブロックを固定し前記第２側辺突出片と第２側板取付ブロックを固定する固定手段と、前記ステーに設けられるステー取付スペーサーと、を有してなることを特徴とする配達物受箱リフォーム用枠扉ユニット。
【請求項４】
天板の正面側に形成された天板折曲板部と、底板の正面側に形成された底板折曲板部と、第１側板の正面側に形成された第１側板折曲板部と、第２側板の正面側に形成された第２側板折曲板部と、ステーと、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に回動可能に取り付けられたリフォーム用扉と、このリフォーム用枠の上辺部に形成された上辺突出片と、この上辺突出片に形成された上辺突出片リベット嵌入孔と、前記リフォーム用枠の下辺部に形成された下辺突出片と、この下辺突出片に形成された下辺突出片リベット嵌入孔と、前記リフォーム用枠の第１側辺部に形成された第１側辺突出片と、この第１側辺突出片に形成された第１側辺突出片リベット嵌入孔と、前記リフォーム用枠の第２側辺部に形成された第２側辺突出片と、この第２側辺突出片に形成された第２側辺突出片リベット嵌入孔と、前記底板と底板折曲板部の間に取り付けられると共にスロープリベット嵌入孔が形成されたスロープと、前記天板と天板折曲板部の間に配設されると共に天板取付ブロックリベット嵌入孔が形成された天板取付ブロックと、前記第１側板と第１側板折曲板部の間に配設されると共に第１側板取付ブロックリベット嵌入孔が形成された第１側板取付ブロックと、前記第２側板と第２側板折曲板部の間に配設されると共に第２側板取付ブロックリベット嵌入孔が形成された第２側板取付ブロックと、
前記下辺突出片リベット嵌入孔及びスロープリベット嵌入孔に、前記上辺突出片リベット嵌入孔及び天板取付ブロックリベット嵌入孔に、第１側辺突出片リベット嵌入孔及び第１側板取付ブロックリベット嵌入孔に、前記第２側辺突出片リベット嵌入孔及び第２側板取付ブロックリベット嵌入孔にそれぞれ嵌入されるプッシュリベットと、
前記ステーに設けられるステー取付スペーサーと、を有してなることを特徴とする配達物受箱リフォーム用枠扉ユニット。
【請求項５】
前記底板に連結ブロックを取り付けたことを特徴とする請求項１〜請求項４記載のいずれか１項に記載の配達物受箱リフォーム用枠扉ユニット。
【発明の詳細な説明】
【技術分野】
【０００１】
本発明は、既に設置されている郵便受箱等の配達物受箱の扉を取り替える場合に専門技術や専用工具等が無くても扉をスムーズに交換することができる配達物受箱リフォーム用枠扉ユニットに関する。
【背景技術】
【０００２】
マンション等の集合住宅のエントランスにはエントランスの壁等に集合郵便受箱が設置されている（特許文献１）。
この集合郵便受箱はその構造面、機能面から郵便受箱本体よりも正面側に露出すると共に常時開閉される扉が損傷するケースが圧倒的に多い。
この集合郵便受箱の扉の損傷が目だって集合郵便受箱の美観を損ねた場合は損傷した扉のみを交換する場合と集合郵便受箱全体を交換する場合がある。
しかし、集合郵便受箱の扉のみを交換する場合は専門技術と場合によっては専用工具を使用して新しい扉に交換するため作業が煩雑であり、作業に手間と時間がかかるという不具合がある。
また、集合郵便受箱の全体を交換する場合は損傷していない郵便受箱本体も廃棄することになり交換費用が高くなるだけでなく、資源の無駄になると共に環境にも好ましくないという不具合がある。
【先行技術文献】
【特許文献】
【０００３】
【特許文献１】特開平１１−２７６３３６号公報
【発明の概要】
【発明が解決しようとする課題】
【０００４】
本発明は、上記事実に鑑みなされたものであり、既設の配達物受箱の扉を交換する場合に専門技術や専用工具等を必要としないで、新しい扉を既設の配達物受箱本体にスムーズに取り付けることができる配達物受箱リフォーム用枠扉ユニットを提供するものである。
【課題を解決するための手段】
【０００５】
請求項１の発明は、天板の正面側に形成された天板折曲板部と、底板の正面側に形成された底板折曲板部と、第１側板の正面側に形成された第１側板折曲板部と、第２側板の正面側に形成された第２側板折曲板部と、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に取り付けられたリフォーム用扉と、このリフォーム用枠の上辺部に形成された上辺突出片と、前記リフォーム用枠の下辺部に形成された下辺突出片と、前記リフォーム用枠の第１側辺部に形成された第１側辺突出片と、前記リフォーム用枠の第２側辺部に形成された第２側辺突出片と、前記底板と底板折曲板部の間に取り付けられるスロープと、前記天板と天板折曲板部の間に配設される天板取付ブロックと、前記第１側板と第１側板折曲板部の間に配設される第１側板取付ブロックと、前記第２側板と第２側板折曲板部の間に配設される第２側板取付ブロックと、前記下辺突出片とスロープを固定し前記上辺突出片と天板取付ブロックを固定し第１側辺突出片と第１側板取付ブロックを固定し前記第２側辺突出片と第２側板取付ブロックを固定する固定手段と、を有してなることを特徴としている。
請求項２の発明は、天板の正面側に形成された天板折曲板部と、底板の正面側に形成された底板折曲板部と、第１側板の正面側に形成された第１側板折曲板部と、第２側板の正面側に形成された第２側板折曲板部と、ステーと、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に取り付けられたリフォーム用扉と、このリフォーム用枠の上辺部に形成された上辺突出片と、前記リフォーム用枠の下辺部に形成された下辺突出片と、前記リフォーム用枠の第１側辺部に形成された第１側辺突出片と、前記リフォーム用枠の第２側辺部に形成された第２側辺突出片と、前記底板と底板折曲板部の間に取り付けられるスロープと、前記天板と天板折曲板部の間に配設される天板取付ブロックと、前記第１側板と第１側板折曲板部の間に配設される第１側板取付ブロックと、前記第２側板と第２側板折曲板部の間に配設される第２側板取付ブロックと、前記下辺突出片とスロープを固定し前記上辺突出片と天板取付ブロックを固定し第１側辺突出片と第１側板取付ブロックを固定し前記第２側辺突出片と第２側板取付ブロックを固定する固定手段と、前記ステーに設けられるステー取付スペーサーと、を有してなることを特徴としている。
請求項３の発明は、天板の正面側に形成された天板折曲板部と、底板の正面側に形成された底板折曲板部と、第１側板の正面側に形成された第１側板折曲板部と、第２側板の正面側に形成された第２側板折曲板部と、ステーと、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に取り付けられたリフォーム用扉と、このリフォーム用枠の上辺部に形成された上辺突出片と、この上辺突出片に形成された上辺突出片リベット嵌入孔と、前記リフォーム用枠の下辺部に形成された下辺突出片と、この下辺突出片に形成された下辺突出片リベット嵌入孔と、前記リフォーム用枠の第１側辺部に形成された第１側辺突出片と、この第１側辺突出片に形成された第１側辺突出片リベット嵌入孔と、前記リフォーム用枠の第２側辺部に形成された第２側辺突出片と、この第２側辺突出片に形成された第２側辺突出片リベット嵌入孔と、前記底板と底板折曲板部の間に取り付けられるスロープと、このスロープに形成されたスロープリベット嵌入孔と、前記天板と天板折曲板部の間に配設される天板取付ブロックと、前記第１側板と第１側板折曲板部の間に配設される第１側板取付ブロックと、前記第２側板と第２側板折曲板部の間に配設される第２側板取付ブロックと、前記下辺突出片とスロープを固定し前記上辺突出片と天板取付ブロックを固定し第１側辺突出片と第１側板取付ブロックを固定し前記第２側辺突出片と第２側板取付ブロックを固定する固定手段と、前記ステーに設けられるステー取付スペーサーと、を有してなることを特徴としている。
請求項４の発明は、天板の正面側に形成された天板折曲板部と、底板の正面側に形成された底板折曲板部と、第１側板の正面側に形成された第１側板折曲板部と、第２側板の正面側に形成された第２側板折曲板部と、ステーと、を備えてなる配達物受箱本体に取り付けられる配達物受箱リフォーム用枠扉ユニットであって、この配達物受箱リフォーム用枠扉ユニットを構成するリフォーム用枠と、このリフォーム用枠に回動可能に取り付けられたリフォーム用扉と、このリフォーム用枠の上辺部に形成された上辺突出片と、この上辺突出片に形成された上辺突出片リベット嵌入孔と、前記リフォーム用枠の下辺部に形成された下辺突出片と、この下辺突出片に形成された下辺突出片リベット嵌入孔と、前記リフォーム用枠の第１側辺部に形成された第１側辺突出片と、この第１側辺突出片に形成された第１側辺突出片リベット嵌入孔と、前記リフォーム用枠の第２側辺部に形成された第２側辺突出片と、この第２側辺突出片に形成された第２側辺突出片リベット嵌入孔と、前記底板と底板折曲板部の間に取り付けられると共にスロープリベット嵌入孔が形成されたスロープと、前記天板と天板折曲板部の間に配設されると共に天板取付ブロックリベット嵌入孔が形成された天板取付ブロックと、前記第１側板と第１側板折曲板部の間に配設されると共に第１側板取付ブロックリベット嵌入孔が形成された第１側板取付ブロックと、前記第２側板と第２側板折曲板部の間に配設されると共に第２側板取付ブロックリベット嵌入孔が形成された第２側板取付ブロックと、
前記下辺突出片リベット嵌入孔及びスロープリベット嵌入孔に、前記上辺突出片リベット嵌入孔及び天板取付ブロックリベット嵌入孔に、第１側辺突出片リベット嵌入孔及び第１側板取付ブロックリベット嵌入孔に、前記第２側辺突出片リベット嵌入孔及び第２側板取付ブロックリベット嵌入孔にそれぞれ嵌入されるプッシュリベットと、
前記ステーに設けられるステー取付スペーサーと、を有してなることを特徴としている。
請求項５の発明は、前記底板に連結ブロックを取り付けたことを特徴としている。
【発明の効果】
【０００６】
本発明の配達物受箱リフォーム用枠扉ユニットは、専門技術や専用工具を使わずに既設の配達物受箱本体に新しい扉をスムーズに取り付けることができるという優れた効果を有する。
本発明の配達物受箱リフォーム用枠扉ユニットは、既設の配達物受箱本体に新しい扉を取り付けるので配達物受箱全体を交換する場合に比べてコストを大きく下げることができるという優れた効果を有する。
本発明の配達物受箱リフォーム用枠扉ユニットは、既設の配達物受箱本体を引き続き利用するため廃棄部品の部品点数できるだけ抑えることができるので環境にやさしいと共に資源の無駄を抑えることができるという優れた効果を有する。
本発明の配達物受箱リフォーム用枠扉ユニットは、リフォーム用扉を最新機能のタイプにすれば既設の配達物受箱本体を引き続き利用しながら費用を抑えて最新機能、最新デザインの配達物受箱にグレードアップすることができるという優れた効果を有する。
【図面の簡単な説明】
【０００７】
【図１】実施例の郵便受箱リフォーム用枠扉ユニットと郵便受箱本体を斜め下方から見た体斜視図である。
【図２】実施例の郵便受箱リフォーム用枠扉ユニットを郵便受箱本体に取り付けてリフォーム用扉を開いた状態を斜め下方から見た斜視図である。
【図３】図２のＡ−Ａ線断面図である。
【図４】実施例の郵便受箱リフォーム用枠扉ユニットと郵便受箱本体の断面側面図である。
【発明を実施するための形態】
【０００８】
発明を実施するために最良の形態の例として以下のような実施例を示す。
【実施例１】
【０００９】
図１〜図４には本発明に係る配達物受箱リフォーム用枠扉ユニットの一実施例が示されている。なお、実施例では配達物受箱として集合郵便受箱を例にして説明する。
図１には本発明に係る配達物受箱リフォーム用枠扉ユニットとしての郵便受箱リフォーム用枠扉ユニット１０と郵便受箱リフォーム用枠扉ユニット１０が適用される二層式の集合郵便受箱１１が分解斜視図で示されている。
前記集合郵便受箱１１を構成する既設の郵便受箱本体１２は天板１３、底板としての本体底板１４、第１側板１５、第２側板１６、奥板（図示せず）によって箱状に形成されている。なお、図１〜図４で図示された郵便受箱本体１２は奥行方向（図１矢印Ｙ方向）の中間部でカットされた状態のものを示しているので奥板は図示されていない。
図１に示されるように、前記郵便受箱本体１２の縦方向（図１矢印Ｈ方向）中央部には底板としての仕切底板１８が形成され、前記郵便受箱本体１２の内部を第１郵便受箱本体１９と第２郵便受箱本体２０の二層に区画している。
前記第１郵便受箱本体１９の正面側には開口部２１が、第２郵便受箱本体２０の正面側には開口部２２が、それぞれ形成されている。
前記天板１３の正面側には郵便受箱本体１２の横方向（図１矢印Ｗ方向）に沿って背面側に折り曲がる天板折曲板部１３Ａが連続形成され、前記本体底板１４の正面側には郵便受箱本体１２の横方向に沿って背面側に折れ曲がる底板折曲板部としての本体底板折曲板部１４Ａが連続形成されている。また、前記第１側板１５の正面側には郵便受箱本体１２の縦方向に沿って背面側に折れ曲がる第１側板折曲板部１５Ａが連続形成され、前記第２側板１６の正面側には郵便受箱本体１２の縦方向に沿って背面側に折れ曲がる第２側板折曲板部１６Ａが連続形成されている。さらに、前記仕切底板１８の正面側には郵便受箱本体１２の横方向に沿って背面側に折れ曲がる底板折曲板部としての仕切底板折曲板部１８Ａが連続形成されている。
前記第１郵便受箱本体１９に対応する第２側板１６と第２郵便受箱本体２０に対応する第２側板１６にはステー２３の基端部２３Ａが回動可能に取り付けられている。
前記郵便受箱リフォーム用枠扉ユニット１０を構成するリフォーム用枠３０は合成樹脂材等によって横長の矩形枠状に形成されている。このリフォーム用枠３０の上辺部３０Ａには上辺突出片３１が一体形成されている。この上辺突出片３１の横方向中央部には上辺突出片リベット嵌入孔３１Ａが貫通形成されている。
前記リフォーム用枠３０の下辺部３０Ｂには下辺突出片３２が一体形成されている。この下辺突出片３２には下辺突出片リベット嵌入孔３２Ａが複数（実施例では３個）貫通形成されている。また、この下辺部３０Ｂには錠前受３３が設けられている。
前記リフォーム用枠３０の第１側辺部３０Ｃには第１側辺突出片３４が一体形成され、この第１側辺突出片３４には第１側辺突出片リベット嵌入孔３４Ａが貫通形成されている。また、前記リフォーム用枠３０の第２側辺部３０Ｄには第２側辺突出片３５が一体形成され、この第２側辺突出片３５には第２側辺突出片リベット嵌入孔３５Ａが貫通形成されている。
前記リフォーム用枠３０の正面側には郵便受箱リフォーム用枠扉ユニット１０を構成するリフォーム用扉３６が設けられている。このリフォーム用扉３６はステンレス等の適宜材料で形成され、リフォーム用扉３６は回動軸３７を介して前記リフォーム用枠３０に対して回動可能に取り付けられている。
前記リフォーム用扉３６には錠前３８が取り付けられており、前記錠前受３３と係止することによりリフォーム用扉３６を施錠できるようになっている。
前記郵便受箱リフォーム用枠扉ユニット１０を構成するスロープ４０は合成樹脂材等の適宜材料により横方向に長く形成されている。このスロープ４０にはスロープリベット嵌入孔４０Ａが複数個（実施例では３個）貫通形成されている。
図３に示されるように、前記スロープ４０は前記郵便受箱本体１２の仕切底板１８に載置された状態で配設されるようになっている。また、スロープ４０の正面側に形成された嵌入部４０Ｂは前記仕切底板１８と仕切底板折曲板部１８Ａに差し込まれた状態で嵌合されるようになっている。
前記スロープ４０には傾斜部４０Ｃが形成されているので、前記第１郵便受箱本体１９に投入された葉書や手紙等の郵便物を取り出す場合に取り出し易いようになっている。
図１に示されるように、前記天板１３の横方向中央部と天板折曲板部１３Ａの横方向中央部の間には天板取付ブロック４１が配設されるようになっている。この天板取付ブロック４１には天板取付ブロックリベット嵌入孔４１Ａが貫通形成されている。また、天板取付ブロック４１の正面側に形成された嵌入部４１Ｂは前記天板１３と天板折曲板部１３Ａに差し込まれた状態で嵌合されるようになっている。
前記第１側板１５と第１側板折曲板部１５Ａの間には第１側板取付ブロック４２が配設されるようになっている。この第１側板取付ブロック４２には第１側板取付ブロックリベット嵌入孔４２Ａが貫通形成されている。また、第１側板取付ブロック４２の正面側に形成された嵌入部４２Ｂは前記第１側板１５と第１側板折曲板部１５Ａに差し込まれた状態で嵌合されるようになっている。さらに前記第２側板１６と第２側板折曲板部１６Ａの間には第２側板取付ブロック４３が配設されるようになっている。この第２側板取付ブロック４３には第２側板取付ブロックリベット嵌入孔４３Ａが貫通形成されている。また、第２側板取付ブロック４３の正面側に形成された嵌入部４３Ｂは前記第２側板１６と第２側板折曲板部１６Ａに差し込まれた状態で嵌合されるようになっている。なお、前記天板取付ブロック４１、第１側板取付ブロック４２、第２側板取付ブロック４３は共に合成樹脂材で同一形状に形成されている。
従って、下辺突出片３２の上方から下辺突出片リベット嵌入孔３２Ａ及びスロープ４０のスロープリベット嵌入孔４０Ａに固定手段としてのプッシュリベット４４を、上辺突出片３１の下方から上辺突出片リベット嵌入孔３１Ａ及び天板取付ブロック４１の天板取付ブロックリベット嵌入孔４１Ａにプッシュリベット４４を、第１側辺突出片３４の側方から第１側辺突出片リベット嵌入孔３４Ａ及び第１側板取付ブロック４２の第１側板取付ブロックリベット嵌入孔４２Ａにプッシュリベット４４を、第２側辺突出片３５の側方から第２側辺突出片リベット嵌入孔３５Ａ及び第２側板取付ブロック４３の第２側板取付ブロックリベット嵌入孔４３Ａにプッシュリベット４４を、それぞれ嵌入することにより、前記リフォーム用枠３０は郵便受箱本体１２の第１郵便受箱本体１９に固定できるようになっている。なお、前記プッシュリベット４４は合成樹脂材で一体形成されている。
図１に示されるように、前記ステー２３の先端部２３Ｂにはスペーサー取付体４５が固定されている。このスペーサー取付体４５には郵便受箱リフォーム用枠扉ユニット１０を構成するステー取付スペーサー４６が取り付けられるようになっている。このステー取付スペーサー４６は合成樹脂材で一体形成され、ネジ４７，４７を介して前記リフォーム用扉３６に形成されたスペーサー固定体４８と固定されるようになっている。
図１及び図２に示されるように、前記仕切底板１８の横方向中央部には連結ブロック５０が取り付けられるようになっている。この連結ブロック５０は第２郵便受箱本体２０の開口部２２に郵便受箱リフォーム用枠扉ユニット１０を取り付ける場合に、仕切底板１８の下端面に固定することにより第２郵便受箱本体２０に取り付ける郵便受箱リフォーム用枠扉ユニット１０のリフォーム用枠３０の上辺突出片３１をプッシュリベット４４で固定するための部品である。
図１、図４に示されるように、前記連結ブロック５０には係止部５０Ａが形成されている。図２に示されるように、連結ブロック５０を仕切板１８の下端面に取り付ける場合は仕切底板１８と下辺突出片３２に挟まれることにより固定されるようになっている。前記連結ブロック５０には連結ブロックリベット嵌入部５０Ｂが形成されている。
従って、第２郵便受箱本体２０の開口部２２に郵便受箱リフォーム用枠扉ユニット１０を取り付ける必要がない場合や単層式の郵便受箱等においては連結ブロック５０を使用する必要はない。
【００１０】
実施例の郵便受箱リフォーム用枠扉ユニット１０の作用について説明する。
既存の集合郵便受箱１１の第１郵便受箱本体１９の開口部２１に取り付けられていた既存扉（図示せず）が破損等して、当該扉を本発明の郵便受箱リフォーム用枠扉ユニット１０に交換する場合を例にして説明する。既存の集合郵便受箱１１の既存扉（図示せず）と既存扉枠（図示せず）を適宜手段を介して予め取り外しておく。
図４に示されるように、前記スロープ４０を集合郵便受箱１１の第１郵便受箱本体１９の内部に収容して、スロープを４０を仕切底板１８に載置してスロープ４０の嵌入部４０Ｂを仕切底板１８と仕切底板折曲板部１８Ａの間に嵌入することにより、スロープを４０を仕切底板１８に取り付ける。
次に、前記上部取付ブロック４１を第１郵便受箱本体１９の内部に収容して上部取付ブロック４１の嵌入部４１Ｂを天板１３と天板折曲板部１３Ａの間に嵌入することにより、上部取付ブロック４１を天板１３に取り付ける。
そして、前記第１側部取付ブロック４２を第１郵便受箱本体１９の内部に収容して第１側部取付ブロック４２の嵌入部４２Ｂを第１側板１５と折曲板部１５Ａの間に嵌入することにより、第１側部取付ブロック４２を第１側板１５に取り付ける。
同様に、前記第２側部取付ブロック４３を第１郵便受箱本体１９の内部に収容して第２側部取付ブロック４３の嵌入部４３Ｂを第２側板１６と折曲板部１６Ａの間に嵌入することにより、第２側部取付ブロック４３を第２側板１６に取り付ける。
そして、前記リフォーム用扉３６を取り付けた状態のリフォーム用枠３０の上辺突出片３１、下辺突出片３２、第１側辺突出片３４、第２側辺突出片３５を第１郵便受箱本体１９に収容する。
次に、前記プッシュリベット４４を下辺突出片３２の上方から下辺突出片リベット嵌入孔３２Ａ及びスロープ４０のスロープリベット嵌入孔４０Ａに嵌入させ、前記プッシュリベット４４を上辺突出片３１の上辺突出片リベット嵌入孔３１Ａ及び天板取付ブロック４１の天板取付ブロックリベット嵌入孔４１Ａに嵌入させ、プッシュリベット４４を上辺突出片３１の上辺突出片リベット嵌入孔３１Ａ及び天板取付ブロック４１の天板取付ブロックリベット貫通孔４１Ａに嵌入させ、プッシュリベット４４を第１側辺突出片３４の側方から第１側辺突出片リベット嵌入孔３４Ａ及び第１側板取付ブロック４２の第１側板取付ブロックリベット嵌入孔４２Ａに嵌入させ、プッシュリベット４４を第２側辺突出片３５の側方から第２側辺突出片リベット嵌入孔３５Ａ及び第２側板取付ブロック４３の第２側板取付ブロックリベット嵌入孔４３Ａに嵌入させることにより、前記リフォーム用枠３０は郵便受箱本体１２の第１郵便受箱本体１９に固定する。
最後にステー２３の先端部２３Ｂにスペーサー取付体４６を取り付け、ネジ４７，４７、スペーサー固定体４８を介してステー２３とリフォーム用扉３６を固定する。
従って、本発明の郵便受箱リフォーム用枠扉ユニット１０は、専門技術や専用工具を使わずに既設の郵便受箱本体１２に新しいリフォーム用扉３０をスムーズに取り付けることができる。
また、郵便受箱リフォーム用枠扉ユニット１０は、既設の郵便受箱本体１２に新しいリフォーム用扉３０を取り付けるので集合郵便受箱全体を新しい集合郵便受箱に交換する場合に比べてコストを大きく下げることができる。
しかも、郵便受箱リフォーム用枠扉ユニット１０は、リフォーム用扉３０を最新機能、最新デザインのタイプのものにすれば既設の郵便受箱本体１２を引き続き利用しながら費用を抑えて最新機能、最新デザインの郵便受箱にグレードアップすることができ極めて経済的である。
また、郵便受箱リフォーム用枠扉ユニット１０は、既設の郵便受箱本体１２を引き続き利用するため廃棄部品を最小限に抑えることができるので環境にやさしいと共に資源の無駄を抑えることができる。
さらに、次回に郵便受箱リフォーム用枠扉ユニット１０を交換する場合は同様の部品で交換することができるので交換費用を抑えることができる。
【００１１】
なお、前記郵便受箱リフォーム用枠扉ユニット１０を第１郵便受箱本体１９に取り付ける場合の手順は実施例で示した手順に限定されないことは勿論である。
また、第２郵便受箱本体２０の開口部２２に取り付ける場合も郵便受箱リフォーム用枠扉ユニット１０の構造及び手順は第１郵便受箱本体１９の開口部２１に取り付ける郵便受箱リフォーム用枠扉ユニット１０と同じであるのでその説明は省略する。
【００１２】
なお、実施例では二層式の集合郵便受箱１１に郵便受箱リフォーム用枠扉ユニット１０を取り付ける場合を例にして説明したが、郵便受箱リフォーム用枠扉ユニット１０を取り付ける郵便受箱は単層式の郵便受箱でも三層式以上の集合郵便受箱でもよいことは勿論である。
【産業上の利用可能性】
【００１３】
本発明の配達物受箱リフォーム用枠扉ユニットは郵便受箱に使用することができるだけでなく、配達物を収容する新聞受箱、宅配ボックス等にも使用することができる。
【符号の説明】
【００１４】
１０    郵便受箱リフォーム用枠扉ユニット
１１    集合郵便受箱
１２    郵便受箱本体
１３    天板
１３Ａ  天板折曲板部
１４    底板
１４Ａ  底板折曲板部
１５    第１側板
１５Ａ  第１側板折曲板部
１６    第２側板
１６Ａ  第２側板折曲板部
１７    奥板
１８    仕切底板
１８Ａ  仕切底板折曲板部
１９    第１郵便受箱本体
２０    第２郵便受箱本体
２１    開口部
２２    開口部
２３    ステー
３０    リフォーム用枠
３０Ａ  上辺部
３０Ｂ  下辺部
３０Ｃ  第１側辺部
３０Ｄ  第２側辺部
３１    上辺突出片
３１Ａ  上辺突出片リベット嵌入孔
３２    下辺突出片
３２Ａ  下辺突出片リベット嵌入孔
３３    錠前受
３４    第１側辺突出片
３４Ａ  第１側辺突出片リベット嵌入孔
３５    第２側辺突出片
３５Ａ  第２側辺突出片リベット嵌入孔
３６    リフォーム用扉
３７    回動軸
３８    錠前
４０    スロープ
４０Ａ  スロープリベット嵌入孔
４０Ｂ  嵌入部
４１    天板取付ブロック
４１Ａ  天板取付ブロックリベット嵌入孔
４１Ｂ  嵌入部
４２    第１側板取付ブロック
４２Ａ  第１側板取付ブロックリベット嵌入孔
４２Ｂ  嵌入部
４３    第２側板取付ブロック
４３Ａ  第２側板取付ブロックリベット嵌入孔
４３Ｂ  嵌入部
４４    プッシュリベット
４５    スペーサー取付体
４６    ステー取付スペーサー
４８    スペーサー固定体
５０    連結ブロック
【図１】
0005503335.tif 000002
【図２】
0005503335.tif 000003
【図３】
0005503335.tif 000004
【図４】
0005503335.tif 000005